(57)【要約】      （修正有）【課題】可撓性を有し、巻き収めることで体積を小さくすることができ、省スペースになり、携帯しやすいワイヤレス充電式マウスパッドを提供する。【解決手段】ワイヤレス充電式マウスパッドは、繊維層１６と、繊維層の表面に接着されている第１コロイド２０と、繊維層の他方の表面に設けられている第２コロイド１８と、第２コロイド上に設けられている第１軟質層１４と、を備える。また、繊維層と第２コロイドとの間に設けられ、繊維層、第１コロイド、第１軟質層及び第２コロイドを圧着すると、第２コロイドに包み込まれるコイル１２をさらに備える。【選択図】図１
0003221615.tif 000002
【実用新案登録請求の範囲】
【請求項１】
繊維層と、
前記繊維層の表面に接着されている第１コロイドと、
前記繊維層の他方の表面に設けられている第２コロイドと、
前記第２コロイド上に設けられている第１軟質層と、
を備えるワイヤレス充電式マウスパッド。
【請求項２】
前記繊維層と前記第２コロイドとの間に設けられ、前記繊維層、前記第１コロイド、前記第１軟質層及び前記第２コロイドを圧着すると、第２コロイドに包み込まれるコイルをさらに備え、
前記繊維層は、布、又は前記布とポリウレタンとを組み合わせたものであり、前記第１軟質層は、前記布、不織布又はプラスチックフィルムであり、前記第１コロイドは、シリカゲル、ガム又は前記ポリウレタンであり、前記第２コロイドは、ホットメルト接着剤、前記シリカゲル、前記ガム又は前記ポリウレタンである、請求項１に記載のワイヤレス充電式マウスパッド。
【請求項３】
コイルをさらに備え、前記繊維層、及び前記第１コロイドの前記繊維層と接着される表面に、前記コイルが設けられる溝が形成され、前記コイルを前記溝に設け、前記第２コロイドは前記繊維層の表面に接着され、前記第２コロイドは前記第１軟質層に接着され、
前記繊維層は、布、又は前記布とポリウレタンとを組み合わせたものであり、前記第１軟質層は、前記布、不織布又はプラスチックフィルムであり、前記第１コロイド及び前記第２コロイドは、シリカゲル、ガム又は前記ポリウレタンであり、
カッティング、インモールド成形、ホットメルト又はレーザ彫刻で、前記溝が形成される、請求項１に記載のワイヤレス充電式マウスパッド。
【請求項４】
前記第１コロイドに接着されている第２軟質層と、
前記第１軟質層の他方の表面に接着されている第３コロイドと、をさらに備え、
第２軟質層は、前記布、前記不織布又は前記プラスチックフィルムであり、前記第３コロイドは、前記シリカゲル、前記ガム又は前記ポリウレタンである、請求項３に記載のワイヤレス充電式マウスパッド。
【請求項５】
軟質層と、
前記軟質層の表面に接着されている第１コロイドと、
前記第１コロイドに接着されている第２コロイドと、
を備えるワイヤレス充電式マウスパッド。
【請求項６】
コイルをさらに備え、前記第１コロイドの表面に、前記コイルが設けられる溝が形成され、前記コイルを前記溝に設け、
前記軟質層は、布、不織布又はプラスチックフィルムであり、前記第１コロイド及び前記第２コロイドは、シリカゲル、ガム又はポリウレタンであり、
カッティング、インモールド成形、ホットメルト又はレーザ彫刻で、前記溝が形成される、請求項５に記載のワイヤレス充電式マウスパッド。
【考案の詳細な説明】
【技術分野】
【０００１】
本考案は、コンピュータ周辺機器の分野、特に、ワイヤレス充電式マウスパッドに関する。
【背景技術】
【０００２】
コンピュータ周辺製品におけるワイヤレス光学式マウスは、コンピュータに接続される接続線がないので、接続線に拘ることなく、格段に自由に使用可能で、多くの消費者に人気がある。しかし、ワイヤレス光学式マウスには、伝統的な機械式マウスよりも多くの電力が消費されるという欠点がある。
【０００３】
一般的には、ワイヤレス光学式マウスは、電源供給方式としてほぼバッテリーが使用され、ワイヤレス信号送信回路を提供する。バッテリーを使用する欠点は、一定時間使用すると、バッテリーの電力が使い果たされ電力不足の現象が発生するので、時々バッテリーを交換しなければいけないことであり、仕事の面で非常に不便であり、且つ、バッテリーの購買も使用コストを向上させる。
【０００４】
上述した問題について、ワイヤレス光学式マウスにおけるバッテリーの消費による電力不足という問題を解決するために、マウスパッドに埋設されたコイルによってワイヤレスでワイヤレス光学式マウスにおけるバッテリーを充電するワイヤレス充電機能を備えたマウスパッドが検討されている。しかしながら、現在のワイヤレス充電機能を備えたマウスパッドは、硬式マウスパッドであり、即ち、当該マウスパッドは、可撓性を有しておらず巻き収めることができないので、硬式マウスパッドは、体積が大きな空間を占め、携帯が不便である。
【考案の概要】
【考案が解決しようとする課題】
【０００５】
上述した問題に鑑みて、本考案の目的は、可撓性を有し、巻き収めることで体積を小さくすることができるので、省スペースになり、携帯しやすくすることができるワイヤレス充電式マウスパッド及びその製造プロセスを提供することにある。
【０００６】
本考案に係る第１態様は、
繊維層と、
前記繊維層の表面に接着されている第１コロイドと、
前記繊維層の他方の表面に設けられている第２コロイドと、
前記第２コロイド上に設けられている第１軟質層と、
を備えるワイヤレス充電式マウスパッドを提供する。
【０００７】
本考案に係る第２態様は、
軟質層と、
前記軟質層の表面に接着されている第１コロイドと、
前記第１コロイドに接着されている第２コロイドと、
を備えるワイヤレス充電式マウスパッドを提供する。
【考案の効果】
【０００８】
本考案によれば、可撓性を有し、巻き収めることで体積を小さくすることができるので、省スペースになり、携帯しやすくすることができるワイヤレス充電式マウスパッド及びその製造プロセスを提供することができる。
【図面の簡単な説明】
【０００９】
【図１】本考案に係る第１実施例のワイヤレス充電式マウスパッドの分解模式図である。
【図２】本考案に係る第１実施例のワイヤレス充電式マウスパッドの部分断面模式図である。
【図３】本考案に係る第１実施例のワイヤレス充電式マウスパッドの製造プロセスのフローチャートである。
【図４】本考案に係る第２実施例のワイヤレス充電式マウスパッドの分解模式図である。
【図５】本考案に係る第２実施例のワイヤレス充電式マウスパッドがレーザ彫刻された分解模式図である。
【図６】本考案に係る第２実施例のワイヤレス充電式マウスパッドの部分断面模式図である。
【図７】本考案に係る第２実施例のワイヤレス充電式マウスパッドの製造プロセスのフローチャートである。
【図８】本考案に係る第３実施例のワイヤレス充電式マウスパッドの分解模式図である。
【図９】本考案に係る第３実施例のワイヤレス充電式マウスパッドの部分断面模式図である。
【図１０】本考案に係る第３実施例のワイヤレス充電式マウスパッドの製造プロセスのフローチャートである。
【図１１】本考案に係る第４実施例のワイヤレス充電式マウスパッドの分解模式図である。
【図１２】本考案に係る第４実施例のワイヤレス充電式マウスパッドの部分断面模式図である。
【図１３】本考案に係る第４実施例のワイヤレス充電式マウスパッドの製造プロセスのフローチャートである。
【考案を実施するための形態】
【００１０】
当業者が本考案をさらに理解できるように、以下、特に本考案に係る好ましい実施例を挙げ、添付の図面によって、本考案の構成内容及び達成しようとする効果を詳細に説明する。
【００１１】
図１は、本考案に係る第１実施例のワイヤレス充電式マウスパッドの分解模式図であり、図２は、本考案に係る第１実施例のワイヤレス充電式マウスパッドの部分断面模式図である。第１実施例において、ワイヤレス充電式マウスパッド１０は、コイル１２と、第１軟質層１４と、繊維層１６と、第１コロイド２０と、第２コロイド１８とを備える。ワイヤレス充電式マウスパッド１０にはコイル１２が埋設されており、ワイヤレス光学式マウス（図示せず）がワイヤレス充電式マウスパッド１０上に置かれる時に、コイル１２に電源を通し（例えば、コンピュータによって電源を供給する）、ワイヤレスでワイヤレス光学式マウスにおけるバッテリー（図示せず）を充電する。また、繊維層１６は、布、又は布とポリウレタン（Ｐｏｌｙｕｒｅｔｈａｎｅ，ＰＵ）とを組み合わせたものであり、第１軟質層１４は布、不織布又はプラスチックフィルムであり、第１コロイド２０は、シリカゲル、ガム又はポリウレタンであり、第２コロイド１８は、ホットメルト接着剤、シリカゲル、ガム又はポリウレタンである。
【００１２】
第１コロイド２０は、従来技術（例えば、糊、両面テープ等による接着技術）で繊維層１６の表面に接着されている。コイル１２は、繊維層１６の他方の表面（繊維層１６の第１コロイド２０が接着されている表面と反対の表面）に設けられ、第２コロイド１８は、コイル１２及び繊維層１６の他方の表面に設けられ、第１軟質層１４は、第２コロイド１８の上に設けられている。
【００１３】
コイル１２が繊維層１６と第２コロイド１８との間に設けられているので、繊維層１６、第１軟質層１４及び第２コロイド１８を圧着（例えば、熱圧着）すると、コイル１２は第２コロイド１８に包み込まれ、コイル１２は第２コロイド１８に移動できないように固定される。
【００１４】
ワイヤレス充電式マウスパッド１０のコイル１２、第１軟質層１４、繊維層１６、第１コロイド２０及び第２コロイド１８等は、それぞれ布、ポリウレタン、不織布、シリカゲル、ホットメルト接着剤、ガム等の可撓性材質によって作られたものである。ワイヤレス充電式マウスパッド１０は、巻き収めることで体積を小さくすることができるので、省スペースになり、携帯しやすくすることができる。
【００１５】
別の実施例において、第１軟質層１４の他方の表面（第１軟質層１４の第２コロイド１８が接着されている表面と反対の表面）に、例えばシリカゲルからなる第３コロイド（図示せず）を接着してもよい。第１軟質層１４に第３コロイドを加えた厚さが大きくなるので、ワイヤレス光学式マウスをワイヤレス充電式マウスパッド１０の上でスライドさせたときに、コイル１２の埋設によりワイヤレス充電式マウスパッド１０のスライド表面が平滑ではないと感じることがない。
【００１６】
図３は、本考案に係る第１実施例のワイヤレス充電式マウスパッドの製造プロセスのフローチャートである。図３のフローステップの説明では、図１及び図２に示す構造を参照する。
【００１７】
図３において、第１コロイド２０を、従来技術で繊維層１６の表面に接着する（ステップＳ３０）。コイル１２を繊維層１６の他方の表面（繊維層１６の第１コロイド２０が接着されている表面と反対の表面）に設け、第２コロイド１８をコイル１２及び繊維層１６の他方の表面に設け、第１軟質層１４を第２コロイド１８の上に設ける（ステップＳ３２）。
【００１８】
繊維層１６、第１軟質層１４及び第２コロイド１８を圧着（例えば、熱圧着）し、コイル１２が第２コロイド１８に包み込まれ、第２コロイド１８（例えば、ホットメルトされたもの）は粘着性を有し、第２コロイド１８を第１軟質層１４の表面と繊維層１６の表面との間に接着する（ステップＳ３４）。
【００１９】
別の実施例において、第１軟質層１４の他方の表面（第１軟質層１４の第２コロイド１８が接着されている表面と反対の表面）に、例えばシリカゲルからなる第３コロイド（図示せず）を接着するステップを追加することで、第３コロイドに第１軟質層１４を加えた厚さを大きくし、ワイヤレス光学式マウスをワイヤレス充電式マウスパッド１０の上でスライドさせたときに、コイル１２の埋設によりワイヤレス充電式マウスパッド１０のスライド表面が平滑ではないと感じることがないようにしてもよい。
【００２０】
コイル１２、第１軟質層１４、繊維層１６、第２コロイド１８及び第１コロイド２０によって上述した製造プロセスを介して作製されたワイヤレス充電式マウスパッド１０は、可撓性を有し、巻き収めることで体積を小さくすることができるので、省スペースになり、携帯しやすくすることができる。
【００２１】
図４は、本考案に係る第２実施例のワイヤレス充電式マウスパッドの分解模式図であり、図５は、本考案に係る第２実施例のワイヤレス充電式マウスパッドの溝の形成後の分解模式図であり、図６は、本考案に係る第２実施例のワイヤレス充電式マウスパッドの部分断面模式図である。第２実施例において、ワイヤレス充電式マウスパッド４０は、コイル４２と、第１軟質層４４と、繊維層４６と、第２コロイド４８と、第１コロイド５０とを備える。また、繊維層４６は、布、又は布とポリウレタンとを組み合わせたものであり、第１軟質層４４は、布、不織布又はプラスチックフィルムであり、第１コロイド５０及び第２コロイド４８は、シリカゲル、ガム又はポリウレタンである。
【００２２】
第１コロイド５０は、従来技術で繊維層４６の表面に接着されている。繊維層４６、及び第１コロイド５０の繊維層４６と接着される表面に、コイル４２を設けるための溝５２が形成されている。また、カッティング、インモールド成形、ホットメルト又はレーザ彫刻で、溝５２が形成される。
【００２３】
コイル４２を溝５２に設けた後、コイル４２及び繊維層４６の他方の表面（繊維層４６の第１コロイド５０が接着されている表面と反対の表面）に設けられている第２コロイド４８は、従来技術で繊維層４６の他方の表面に接着され、第１軟質層４４は、従来技術で第２コロイド４８に接着される。第２コロイド４８と繊維層４６とは互いに接着されているので、溝５２におけるコイル４２は、移動できないように固定される。
【００２４】
ワイヤレス充電式マウスパッド４０のコイル４２、第１軟質層４４、繊維層４６、第１コロイド５０及び第２コロイド４８等は、それぞれ布、ポリウレタン、不織布、シリカゲル、ガム等の可撓性材質によって作られたものであり、ワイヤレス充電式マウスパッド４０は、巻き収めることで体積を小さくすることができるので、省スペースになり、携帯しやすくすることができる。
【００２５】
図７は、本考案に係る第２実施例のワイヤレス充電式マウスパッドの製造プロセスのフローチャートである。図７のフローステップの説明では、図４〜図６に示す構造を参照する。
【００２６】
第１コロイド５０を、従来技術で繊維層４６の表面に接着する（ステップＳ６０）。繊維層４６、及び第１コロイド５０の繊維層４６と接着される表面に溝５２を形成し、コイル４２を溝５２に設ける（ステップＳ６２）。また、カッティング、インモールド成形、ホットメルト又はレーザ彫刻で、溝５２を形成する。
【００２７】
コイル４２を溝５２に設けた後、コイル４２及び繊維層４６の他方の表面（繊維層４６の第１コロイド５０が接着されている表面と反対の表面）に設けられている第２コロイド４８は、従来技術で繊維層４６の他方の表面に接着され（ステップＳ６４）、第１軟質層４４は、従来技術で第２コロイド４８に接着される。第２コロイド４８と繊維層４６とは互いに接着されているので、溝５２におけるコイル４２は、移動できないように固定される。第１軟質層４４は、従来技術で第２コロイド４８に接着される（ステップＳ６６）。
【００２８】
コイル４２、第１軟質層４４、繊維層４６、第１コロイド５０及び第２コロイド４８によって上述した製造プロセスを介して作製されたワイヤレス充電式マウスパッド４０は、可撓性を有し、巻き収めることで体積を小さくすることができるので、省スペースになり、携帯しやすくすることができる。
【００２９】
図８は、本考案に係る第３実施例のワイヤレス充電式マウスパッドの分解模式図であり、図９は、本考案に係る第３実施例のワイヤレス充電式マウスパッドの部分断面模式図である。第３実施例におけるワイヤレス充電式マウスパッド５８と、第２実施例におけるワイヤレス充電式マウスパッド４０とは、第３実施例におけるワイヤレス充電式マウスパッド５８は、第２軟質層５４及び第３コロイド５６を更に備える点で異なる。また、第２軟質層５４は、布、不織布又はプラスチックフィルムであり、第３コロイド５６は、シリカゲル、ガム又はポリウレタンである。
【００３０】
第２軟質層５４は、従来技術で第１コロイド５０の繊維層４６が接着されている表面と反対の他方の表面と互いに接着されている。第１軟質層４４の他方の表面（第１軟質層４４の第２コロイド４８が接着されている表面と反対の表面）に、第３コロイド５６が接着されている。
【００３１】
第２軟質層５４が第１コロイド５０の他方の表面に接着されていることによって、ワイヤレス充電式マウスパッド５８を両面マウスパッドにすることができ、即ち、ワイヤレス光学式マウスは、ワイヤレス充電式マウスパッド５８のいずれの表面でもスライドしワイヤレス充電することができる。
【００３２】
第１軟質層４４と第３コロイド５６とが互いに接着されその厚さが大きくなるので、ワイヤレス光学式マウスをワイヤレス充電式マウスパッド５８の上でスライドさせたときに、コイル４２の埋設によりワイヤレス充電式マウスパッド５８のスライド表面が平滑ではないと感じることがない。
【００３３】
ワイヤレス充電式マウスパッド５８のコイル４２、第１軟質層４４、繊維層４６、第２軟質層５４、第１コロイド５０、第２コロイド４８及び第３コロイド５６等は、それぞれ布、ポリウレタン、不織布、ガム、シリカゲル等の可撓性材質によって作られたものであり、ワイヤレス充電式マウスパッド５８は、巻き収めることで体積を小さくすることができるので、省スペースになり、携帯しやすくすることができる。
【００３４】
図１０は、本考案に係る第３実施例のワイヤレス充電式マウスパッドの製造プロセスのフローチャートである。図１０のフローステップの説明では、図８及び図９に示す構造を参照する。
【００３５】
第３実施例におけるワイヤレス充電式マウスパッド５８の製造プロセスは、第２軟質層５４を、従来技術で第１コロイド５０の繊維層４６が接着されている表面と反対の他方の表面と互いに接着する（ステップＳ７０）点、及び第１軟質層４４の他方の表面（第１軟質層４４の第２コロイド４８が接着されている表面と反対の表面）に、第３コロイド５６を接着する（ステップＳ７２）点で、第２実施例におけるワイヤレス充電式マウスパッド４０の製造プロセスと異なる。
【００３６】
コイル４２、第１軟質層４４、繊維層４６、第２軟質層５４、第１コロイド５０、第２コロイド４８及び第３コロイド５６によって上述した製造プロセスを介して作製されたワイヤレス充電式マウスパッド５８は、可撓性を有し、巻き収めることで体積を小さくすることができるので、省スペースになり、携帯しやすくすることができる。
【００３７】
図１１は、本考案に係る第４実施例のワイヤレス充電式マウスパッドの分解模式図であり、図１２は、本考案に係る第４実施例のワイヤレス充電式マウスパッドの部分断面模式図である。第４実施例において、ワイヤレス充電式マウスパッド８０は、コイル８２と、軟質層８４と、第１コロイド８６と、第２コロイド８８とを備える。また、軟質層８４は、布、不織布、又はプラスチックフィルムであり、第１コロイド８６及び第２コロイド８８は、シリカゲル、ガム又はポリウレタンである。
【００３８】
第１コロイド８６は、従来技術で軟質層８４の表面に接着されている。第１コロイド８６の表面に、コイル８２が設けられる溝９０が形成され、コイル８２を溝９０に設ける。第２コロイド８８は、従来技術で第１コロイド８６に接着されている。また、カッティング、インモールド成形、ホットメルト又はレーザ彫刻で、溝９０が形成される。
【００３９】
ワイヤレス充電式マウスパッド８０のコイル８２、軟質層８４、第１コロイド８６及び第２コロイド８８等は、それぞれ布、ポリウレタン、不織布、シリカゲル、ガム等の可撓性材質によって作られたものであり、ワイヤレス充電式マウスパッド８０は、巻き収めることで体積を小さくすることができるので、省スペースになり、携帯しやすくすることができる。
【００４０】
図１３は、本考案に係る第４実施例のワイヤレス充電式マウスパッドの製造プロセスのフローチャートである。図１３のフローステップの説明では、図１１及び図１２に示す構造を参照する。
【００４１】
第１コロイド８６を、従来技術で軟質層８４の表面に接着する（ステップＳ１００）。第１コロイド８６の表面に溝９０が形成され、コイル８２を溝９０に設ける（ステップＳ１０２）。また、カッティング、インモールド成形、ホットメルト又はレーザ彫刻で、溝９０を形成する。第２コロイド８８を、従来技術で第１コロイド８６に接着する（ステップＳ１０４）。
【００４２】
コイル８２、軟質層８４、第１コロイド８６及び第２コロイド８８によって上述した製造プロセスを介して作製されたワイヤレス充電式マウスパッド８０は、可撓性を有し、巻き収めることで体積を小さくすることができるので、省スペースになり、携帯しやすくすることができる。
【００４３】
本考案は、ワイヤレス充電式マウスパッドを提供し、当該ワイヤレス充電式マウスパッドは、可撓性を有し、巻き収めることで体積を小さくすることができるので、省スペースになり、携帯しやすくすることができることを特徴とする。
【００４４】
本考案は、好ましい具体的な例及び例示的図面によって以上のように説明したが、これに制限されるものとみなされるべきではない。当業者がその形態及び具体的な例の内容に対して行う種々の補正、省略及び変形は、本考案の実用新案登録請求の範囲の保護範囲から逸脱しない。
【符号の説明】
【００４５】
１０  ：  ワイヤレス充電式マウスパッド
１２  ：  コイル
１４  ：  第１軟質層
１６  ：  繊維層
１８  ：  第２コロイド
２０  ：  第１コロイド
４０  ：  ワイヤレス充電式マウスパッド
４２  ：  コイル
４４  ：  第１軟質層
４６  ：  繊維層
４８  ：  第２コロイド
５０  ：  第１コロイド
５２  ：  溝
５４  ：  第２軟質層
５６  ：  第３コロイド
５８  ：  ワイヤレス充電式マウスパッド
８０  ：  ワイヤレス充電式マウスパッド
８２  ：  コイル
８４  ：  軟質層
８６  ：  第１コロイド
８８  ：  第２コロイド
９０  ：  溝
【図１】
0003221615.tif 000003
【図２】
0003221615.tif 000004
【図３】
0003221615.tif 000005
【図４】
0003221615.tif 000006
【図５】
0003221615.tif 000007
【図６】
0003221615.tif 000008
【図７】
0003221615.tif 000009
【図８】
0003221615.tif 000010
【図９】
0003221615.tif 000011
【図１０】
0003221615.tif 000012
【図１１】
0003221615.tif 000013
【図１２】
0003221615.tif 000014
【図１３】
0003221615.tif 000015